(57)【要約】【課題】通信チャネルを自動的にスイッチングすることができる通信設備を提供する。【解決手段】本発明の通信設備は、通信チャネルを自動的にスイッチングするために、トランシーバー・モジュール、データ・ベース、チャネル判断モジュール及びチャネル・スイッチング・モジュールを備える。トランシーバー・モジュールは、一つの通信フィールドを含む外部通信情報を受信する。データ・ベースは、通信設備の通信チャネル・データをセーブする。チャネル判断モジュールは、受信した外部通信情報の通信フィールドに対応する通信チャネルと通信設備の通信チャネルが一致するかどうかを判断する。チャネル・スイッチング・モジュールは、受信した外部通信情報の通信フィールドに対応する通信チャネルと通信設備の通信チャネルが一致しない時、通信設備の通信チャネルをスイッチングして、スイッチングした後の通信チャネル・データをデータ・ベースにセーブする。【選択図】図１
2007259455.tif 000002
【特許請求の範囲】
【請求項１】
通信チャネルを自動的にスイッチングするために用いられる通信設備であって、前記通信設備は、トランシーバー・モジュールと、データ・ベースと、チャネル判断モジュール及びチャネル・スイッチング・モジュールを備え、前記トランシーバー・モジュールは、外部通信情報を受信するために用いられ、前記外部通信情報は、一つの通信フィールドを備え、前記データ・ベースは、前記通信設備の通信チャネル・データをセーブするために用いられ、前記チャネル判断モジュールは、前記トランシーバー・モジュール及びデータ・ベースに接続されており、前記通信設備が受信した外部通信情報の通信フィールドに対応する通信チャネルと前記通信設備の通信チャネルが一致するかどうかを判断するために用いられ、前記チャネル・スイッチング・モジュールは、前記チャネル判断モジュール及びデータ・ベースに接続されており、受信した外部通信情報の通信フィールドに対応する通信チャネルと通信設備の通信チャネルが一致しない時、前記通信設備の通信チャネルをスイッチングするために用いられ、且つスイッチングした後の通信チャネル・データをデータ・ベースにセーブすることを特徴とする通信設備。
【請求項２】
前記チャネル判断モジュールは、前記データ・ベースを検索することにより、前記通信設備の通信チャネルを獲得することを特徴とする請求項１に記載の通信設備。
【請求項３】
前記トランシーバー・モジュールは、複数の通信チャネルを備えることを特徴とする請求項１に記載の通信設備。
【請求項４】
前記通信設備は、前記データ・ベース及びトランシーバー・モジュールに接続されるフレーム・センディング・モジュールをさらに備え、前記フレーム・センディング・モジュールは、前記データ・ベースにセーブされた通信設備の通信チャネル・データを検索するために用いられ、且つ前記通信設備の通信チャネルに基づいて、前記トランシーバー・モジュールの対応する通信チャネルにフレームを送信することを特徴とする請求項３に記載の通信設備。
【請求項５】
前記トランシーバー・モジュールは、又、前記外部通信情報に対してデコーディングするために用いられ、且つデコーディングした後の外部通信情報をチャネル判断モジュールに送信することを特徴とする請求項１に記載の通信設備。
【請求項６】
前記通信フィールドは、一つの通信チャネルを示すことを特徴とする請求項５に記載の通信設備。
【請求項７】
前記チャネル判断モジュールは、デコーディングした後の外部通信情報の通信フィールドを分析することにより、前記外部通信情報の対応する通信チャネルを獲得することを特徴とする請求項６に記載の通信設備。
【請求項８】
前記チャネル判断モジュールは、もし外部通信情報の通信フィールドに対応する通信チャネルと前記通信設備の通信チャネルが一致しなければ、前記チャネル・スイッチング・モジュールにチャネル・スイッチング信号を送信することを特徴とする請求項７に記載の通信設備。
【請求項９】
前記通信設備は、アクセス・ネットワーク通信設備であることを特徴とする請求項１に記載の通信設備。
【請求項１０】
通信設備に用いられる通信チャネルを自動的にスイッチングする方法であって、前記方法は、
通信フィールドを備える外部通信情報を受信するステップと、
前記外部通信情報の通信フィールドに対応する通信チャネルと前記通信設備の通信チャネルが一致するかどうかを判断するステップと、
もし一致しなければ、前記通信設備の通信チャネルを、受信した外部通信情報の通信フィールドに対応する通信チャネルにスイッチングし、且つスイッチングした後の通信設備の通信チャネル・データをデータ・ベースにセーブするステップと、
を備えることを特徴とする通信チャネルを自動的にスイッチングする方法。
【請求項１１】
もし前記受信した外部通信情報の通信フィールドに対応する通信チャネルと前記通信設備の通信チャネルが一致すると、前記通信設備は、前記通信チャネルによって、交換機と通信するステップをさらに備えることを特徴とする請求項１０に記載の通信チャネルを自動的にスイッチングする方法。
【請求項１２】
前記通信設備は、アクセス・ネットワーク通信設備であることを特徴とする請求項１０に記載の通信チャネルを自動的にスイッチングする方法。
【請求項１３】
前記通信フィールドは、一つの通信チャネルを示すことを特徴とする請求項１０に記載の通信チャネルを自動的にスイッチングする方法。
【請求項１４】
前記外部通信情報に対してデコーディングするステップをさらに備えることを特徴とする請求項１０に記載の通信チャネルを自動的にスイッチングする方法。
【請求項１５】
前記外部通信情報の通信フィールドに対応する通信チャネルと前記通信設備の通信チャネルが一致するかどうかを判断するステップは、
前記デコーディングした後の外部通信情報の通信フィールドを分析することにより、受信した外部通信情報の通信チャネルを獲得するステップと、
前記データ・ベースを検索することにより、前記通信設備の通信チャネルを獲得するステップと、
を備えることを特徴とする請求項１４に記載の通信チャネルを自動的にスイッチングする方法。
【請求項１６】
前記通信設備の通信チャネルは、前記通信設備が情報を送信する通信チャネルであることを特徴とする請求項１０に記載の通信チャネルを自動的にスイッチングする方法。
【請求項１７】
前記データ・ベースの中にセーブされた通信チャネル・データを検索することにより、それに対応する通信チャネルを通じて、前記交換機にフレームを送信するステップをさらに備えることを特徴とする請求項１０に記載の通信チャネルを自動的にスイッチングする方法。
【発明の詳細な説明】
【技術分野】
【０００１】
本発明は、通信設備に関するものであり、特に通信チャネルを自動的にスイッチングすることができる通信設備に関するものである。
【背景技術】
【０００２】
Ｖ５．２プロトコルには、通信チャネルと保護通信チャネルとがある。通信チャネルは、物理層の上に構築されて物理層のサービス状態に従って変動するロジック・チャネルであって、アクセス・ネットワーク通信設備と交換機との間の通信を制御する。保護通信チャネルは、通信チャネルを保護するためのロジック・チャネルであって、通常はただ命令を待っていて情報を伝送しないが、通信チャネルに問題が発生した時、通信チャネルに代わって通信を引き継ぐ。アクセス・ネットワーク通信設備と交換機との間には少なくとも二つの物理リンクがあり、スタート作動の時、通信チャネルは、第一の物理リンク上にあり、保護通信チャネルは、第二の物理リンク上にある。
【０００３】
交換機に物理層の異常又は中断のような異常が発生すると、交換機は、アクセス・ネットワーク通信設備にスイッチング命令を送信し、アクセス・ネットワーク通信設備が通信チャネルを第一の物理リンクから第二の物理リンクにスイッチングするように指示する。アクセス・ネットワーク通信設備がスイッチング命令を受信すると、通信チャネルを第一の物理リンクから第二の物理リンクにスイッチングし、且つ交換機にスイッチング確認情報を送信する。前記交換機がスイッチング確認情報を受信すると、前記第二の物理リンクでアクセス・ネットワーク通信設備と通信する。しかし、前記交換機がある原因でスイッチング確認情報を受信しなかった時、前記交換機の通信情報は、ずっと第一の物理リンクに伝送されるが、アクセス・ネットワーク通信設備の通信情報は、第二の物理リンクに伝送される。従って、交換機とアクセス・ネットワーク通信設備が正常に通信することができない。
【発明の開示】
【発明が解決しようとする課題】
【０００４】
本発明の第一の目的は、前記課題を解決し、通信チャネルを自動的にスイッチングすることができる通信設備を提供することである。
【０００５】
本発明の第二の目的は、前記課題を解決し、通信チャネルを自動的にスイッチングする方法を提供することである。
【課題を解決するための手段】
【０００６】
前記第一目的を達成するため、本発明に係る通信設備は、通信チャネルを自動的にスイッチングするために用いられ、前記通信設備は、トランシーバー・モジュールと、データ・ベースと、チャネル判断モジュール及びチャネル・スイッチング・モジュールを備える。前記トランシーバー・モジュールは、外部通信情報を受信するために用いられ、前記外部通信情報は、一つの通信フィールドを備える。前記データ・ベースは、前記通信設備の通信チャネル・データをセーブするために用いられる。前記チャネル判断モジュールは、前記トランシーバー・モジュール及びデータ・ベースに接続されており、前記通信設備が受信した外部通信情報の通信フィールドに対応する通信チャネルと前記通信設備の通信チャネルが一致するかどうかを判断するために用いられる。前記チャネル・スイッチング・モジュールは、前記チャネル判断モジュール及びデータ・ベースに接続されており、受信した外部通信情報の通信フィールドに対応する通信チャネルと通信設備の通信チャネルが一致しない時、前記通信設備の通信チャネルをスイッチングするために用いられ、且つスイッチングした後の通信チャネル・データをデータ・ベースにセーブする。
【０００７】
前記第二目的を達成するため、本発明に係る通信チャネルを自動的にスイッチングする方法は、通信設備に用いられ、前記方法は、通信チャネル情報を備える外部通信情報を受信するステップと、前記外部通信情報の中の通信チャネル情報に対応する通信チャネルと前記通信設備の通信チャネルが一致するかどうかを判断するステップと、もし一致しなければ、前記通信設備の通信チャネルを、受信した外部通信情報の通信フィールドに対応する通信チャネルにスイッチングし、且つスイッチングした後の通信チャネルデータをデータ・ベースにセーブするステップとを備える。
【発明の効果】
【０００８】
本発明の通信チャネルを自動的にスイッチングする通信設備及び方法は、交換機と通信設備が正常に通信することを確保し、交換機と通信設備との通信使用率を高めることができる。
【発明を実施するための最良の形態】
【０００９】
図１は、本発明の通信設備２０のブロック図である。本実施形態において、通信設備２０は、交換機１０に通信接続される。本発明の他の実施形態において、交換機１０は、他のネットワーク設備であることができる。前記通信設備２０は、アクセス・ネットワーク通信設備である。前記通信設備２０は、トランシーバー・モジュール２００と、チャネル判断モジュール２１０と、チャネル・スイッチング・モジュール２２０と、データ・ベース２３０及びフレーム・センディング・モジュール２４０を備える。本実施形態において、前記トランシーバー・モジュール２００は、交換機１０に通信接続されており、該交換機１０からの外部通信情報を受信するために用いられ、そして複数の通信チャネルを備える。本実施形態において、前記外部通信情報は、一つの通信フィールドを備え、前記通信フィールドは、通信チャネルを示す。
本実施形態において、前記トランシーバー・モジュール２００は、又、外部通信情報をデコーディングするために用いられ、且つデコーディングした後の外部通信情報をチャネル判断モジュール２１０に送信する。
【００１０】
前記データ・ベース２３０は、チャネル判断モジュール２１０、チャネル・スイッチング・モジュール２２０及びフレーム・センディング・モジュール２４０に接続されており、前記通信設備２０の通信チャネルデータをセーブすることに用いられる。本実施形態において、前記通信設備２０の通信チャネルは、通信設備２０が通信情報を送信する通信チャネルである。
【００１１】
前記チャネル判断モジュール２１０は、トランシーバー・モジュール２００、チャネル・スイッチング・モジュール２２０及びデータ・ベース２３０に接続されており、前記通信設備２０が受信した外部通信情報の通信フィールドに対応する通信チャネルと通信設備２０の通信チャネルが一致するかどうかを判断するために用いられる。本実施形態において、前記通信設備２０が受信した外部通信情報の通信フィールドに対応する通信チャネルは、交換機１０が外部通信情報を送信する通信チャネルである。前記チャネル判断モジュール２１０は、前記トランシーバー・モジュール２００からデコーディングした後の外部通信情報を受信し、且つデコーディングした後の外部通信情報の通信フィールドを分析することにより、前記通信設備２０が受信した外部通信情報の通信フィールドに対応する通信チャネルを獲得し（もしくは、識別し）、且つ前記データ・ベース２３０を検索することにより、前記通信設備２０の通信チャネルを獲得する（識別する）。もし前記通信設備２０が受信した外部通信情報の通信フィールドに対応する通信チャネルと前記通信設備２０の通信チャネルが一致すると、前記通信設備２０の通信チャネルを改める必要がなく、前記通信設備２０は、其の通信チャネルによって、直接に交換機１０と通信することができる。もし前記通信設備２０が受信した外部通信情報の通信フィールドに対応する通信チャネルと前記通信設備２０の通信チャネルが一致しなければ、前記通信判断モジュール２１０は、チャネル・スイッチング信号を生成し、且つ前記チャネル・スイッチング・モジュール２２０に該チャネル・スイッチング信号を送信する。
【００１２】
前記チャネル・スイッチング・モジュール２２０は、チャネル判断モジュール２１０及びデータ・ベース２３０に接続されており、前記通信設備２０が受信した外部通信情報の通信フィールドに対応する通信チャネルと前記通信設備２０の通信チャネルが一致しない時、前記通信設備２０の通信チャネルをスイッチングするために用いられ、且つ前記データ・ベース２３０にスイッチングした後の通信設備の通信チャネルデータをセーブする。本実施形態において、前記フレーム・センディング・モジュール２４０は、前記データ・ベース２３０及びトランシーバー・モジュール２００に接続されており、前記データ・ベース２３０の中にセーブされた通信チャネル・データを検索するために用いられ、且つ前記通信チャネル・データに基づいて、前記トランシーバー・モジュール２００の対応する通信チャネルにフレームを送信する。本実施形態において、前記フレームは、前記通信設備２０と交換機１０が通信する通信情報である。本実施形態において、前記トランシーバー・モジュール２００は、前記フレーム・センディング・モジュール２４０から送信されるフレームを受信し、且つ対応する通信チャネルを通じて、前記交換機１０にフレームを送信する。
【００１３】
図２は、本発明の通信チャネルを自動的にスイッチングする方法を示すフローチャートである。ステップＳ２００において、前記トランシーバー・モジュール２００が外部通信情報を受信し、且つ外部通信情報に対して、デコーディングし、且つ送信する。本実施形態において、前記外部通信情報は、一つの通信フィールドを備え、前記通信フィールドは、通信チャネルを示す。本実施形態において、前記トランシーバー・モジュール２００は、前記チャネル判断モジュール２１０にデコーディングした後の外部通信情報を送信する。ステップＳ２０２において、前記チャネル判断モジュール２１０は、前記通信設備２０が受信した外部通信情報の通信フィールドに対応する通信チャネル及び通信設備２０の通信チャネルを獲得（識別）する。本実施形態において、前記チャネル判断モジュール２１０は、デコーディングした後の外部通信情報の通信フィールドを分析することにより、前記通信設備２０が受信した外部通信情報の通信チャネルを獲得し、且つデータ・ベース２３０を検索することにより、前記通信設備２０の通信チャネルを獲得する。ステップＳ２０４において、前記チャネル判断モジュール２１０は、前記通信設備２０が受信した外部通信情報の通信フィールドに対応する通信チャネルと通信設備２０の通信チャネルが一致するかどうかを判断する。もし前記通信設備２０が受信した外部通信情報の通信フィールドに対応する通信チャネルと前記通信設備２０の通信チャネルが一致すると、そのプロセスは終わり、前記通信設備２０は、元の通信チャネルによって、前記交換機１０と通信することができる。もし前記通信設備２０が受信した外部通信情報の通信フィールドに対応する通信チャネルと前記通信設備２０の通信チャネルが一致しなければ、ステップＳ２０６において、前記チャネル・スイッチング・モジュール２２０は、前記通信設備２０の通信チャネルを通信設備２０が受信した外部通信情報の通信フィールドに対応する通信チャネルにスイッチングする。ステップＳ２０８において、前記通信設備２０は、スイッチングした後の通信チャネルを通じて、前記交換機１０と通信する。本実施形態において、前記フレーム・センディング・モジュール２４０は、まずデータ・ベース２３０がセーブした通信チャネル・データを検索し、且つ前記通信チャネル・データに基づいて、前記トランシーバー・モジュール２００の対応する通信チャネルにフレームを送信する。本実施形態において、前記トランシーバー・モジュール２００は、前記フレーム・センディング・モジュール２４０から送信されるフレームを受信し、且つ対応する通信チャネルによって、前記交換機１０に情報を送信する。
【００１４】
本発明の通信チャネルを自動的にスイッチングする通信設備及び方法は、交換機１０と通信設備２０が正常に通信することを確保し、交換機１０と通信設備２０との通信使用率を高めることができる。
【図面の簡単な説明】
【００１５】
【図１】本発明の通信設備のブロック図である。
【図２】本発明の通信チャネルを自動的にスイッチングする方法を示すフローチャートである。
【符号の説明】
【００１６】
１０  交換機
２０  通信設備
２００  トランシーバー・モジュール
２１０  チャネル判断モジュール
２２０  チャネル・スイッチング・モジュール
２３０  データ・ベース
２４０  フレーム・センディング・モジュール
【図１】
2007259455.tif 000003
【図２】
2007259455.tif 000004